(57)【特許請求の範囲】
【請求項１】
共に鋏型に構成された電線切断用の切断部及び電線把持用の把持部が同一の回転軸周りに一体となって開閉可能な電線の切断工具であって、
前記把持部は、
前記電線の把持面が開側へ凹むように凹状に形成された顎部と、
一部を前記把持面よりも閉側へ突出させ、且つ、前記切断部よりも開側へ後退させた状態で前記顎部の前記回転軸方向の面に対向して配置されており、突出した前記一部が開側へ弾性変形可能な緩衝部と、
を備えたことを特徴とする切断工具。
【請求項２】
前記把持部は、
前記回転軸の軸支位置を介して一方側に前記顎部を有し、他方側に把持操作のための把持アームを有する第１把持体と、
前記第１把持体とほぼ同型に構成され、前記第１把持体に対して前記回転軸の延びる方向に所定の間隔をあけると共に、前記切断部に近い側に配置された第２把持体と、
前記第１把持体及び前記第２把持体のそれぞれの前記顎部の間に介装される前記緩衝部と、
を備えたことを特徴とする請求項１に記載の切断工具。
【請求項３】
前記緩衝部は、少なくとも前記突出した一部がゴム部材で形成されており、前記第１把持体及び前記第２把持体のそれぞれの前記顎部間を前記回転軸と平行に延びるピンが貫通することによって固定されていることを特徴とする請求項２に記載の切断工具。
【請求項４】
前記切断部は、
前記回転軸の軸支位置を介して一方側に前記電線を切断する刃部を有し、他方側に前記電線の切断操作のための切断アームを有する、前記回転軸周りに相対回転可能な一対の刃体からなり、
前記一対の刃体は、
前記刃部と前記切断アームとがそれぞれ異なる面内で揺動可能となるように、前記回転軸よりも前記切断アーム側で屈曲形成されている
ことを特徴とする請求項３に記載の切断工具。
【請求項５】
前記把持部において、少なくとも、前記第２把持体は、
前記一対の刃体よりも撓み易い部材で構成されていると共に、
前記回転軸の軸支位置よりも前記把持アーム側が前記切断部と同じ側に凸となるように屈曲形成されており、且つ、前記回転軸の軸支位置と屈曲位置との間隔が前記一対の刃体よりも大きいことを特徴とする請求項４に記載の切断工具。
【発明の詳細な説明】
【技術分野】
【０００１】
本発明は、切断対象であるケーブルを把持しながら切断できる切断工具に関する。
【背景技術】
【０００２】
ケーブルを手持ちの切断工具で切断する際、切断されたケーブルの端部が跳ね上がったり落下する場合がある。このため、従来から、ケーブルを把持しながら安全に切断することができる切断工具が考えられている。
【０００３】
図８は従来の切断工具１００の使用状態を示している。この切断工具１００は、光ファイバーケーブル１１０を切断するための工具である。切断工具１００は切断する刃を有する切断部１０２と、この切断部１０２に隣接して光ファイバーケーブル１１０を把持する把持部１０３とを備えている。
【０００４】
これら把持部１０３及び切断部１０２は、１本の回転軸１０１を共通の中心軸として開閉可能に構成されている。このうち、把持部１０３は、切断部１０２とは独立に開閉動作が可能であり、回転軸１０１の周りに設けられたバネ材（図示せず）によって閉方向へ付勢されている。
【０００５】
これにより、バネ材の付勢に抗したレバー１０４の操作により把持部１０３を開き、バネ材の力で光ファイバーケーブル１１０を把持させると、手を離しても安定して光ファイバーケーブル１１０を保持することができる。
【０００６】
この保持状態で、切断部１０２に対して把持していない側の光ファイバーケーブル１１０を片手で支えると、切断された端部が跳ね上がったり落下することなく安全に切断作業を行うことができる。このような切断工具については特許文献１に記載がある。
【先行技術文献】
【特許文献】
【０００７】
【特許文献１】特開２００６−１９８１２５号公報
【発明の概要】
【発明が解決しようとする課題】
【０００８】
しかし、図８のような切断工具１００では、その都度レバー１０４を操作して切断対象を把持し、その後切断を行うといった２段階で作業が行われるので、作業効率はあまり良くない。
【０００９】
また、図８の切断工具１００を遠隔操作棒に連結して先端工具として用いる場合、上記の切断対象を把持する作業段階については遠隔操作を行えない。
【００１０】
さらに、切断後は、把持部１０３を切断対象から解放させる作業が必要になり、特に、遠隔操作においては煩雑である。
【００１１】
そこで、本発明では、一つの操作アームを開閉するだけで切断対象の把持と切断とを行うことができる切断工具を提供することを目的とする。
【課題を解決するための手段】
【００１２】
上記目的を達成するために、本発明の切断工具は、共に鋏型に構成された電線切断用の切断部及び電線把持用の把持部が同一の回転軸周りに一体となって開閉可能な電線の切断工具であって、前記把持部は、前記電線の把持面が開側へ凹むように凹状に形成された顎部と、一部を前記把持面よりも閉側へ突出させ、且つ、前記切断部よりも開側へ後退させた状態で前記顎部の前記回転軸方向の面に対向して配置されており、突出した前記一部が開側へ弾性変形可能な緩衝部と、を備えたことを特徴とする。
【００１３】
また、本発明の切断工具は、上記構成に加えて、前記把持部は、前記回転軸の軸支位置を介して一方側に前記顎部を有し、他方側に把持操作のための把持アームを有する第１把持体と、前記第１把持体とほぼ同型に構成され、前記第１把持体に対して前記回転軸の延びる方向に所定の間隔をあけると共に、前記切断部に近い側に配置された第２把持体と、前記第１把持体及び前記第２把持体のそれぞれの前記顎部の間に介装される前記緩衝部と、を備えたことを特徴とする。
【００１４】
また、本発明の切断工具は、上記構成に加えて、前記緩衝部は、少なくとも前記突出した一部がゴム部材で形成されており、前記第１把持体及び前記第２把持体のそれぞれの前記顎部間を前記回転軸と平行に延びるピンが貫通することによって固定されていることを特徴とする。
【００１５】
また、本発明の切断工具は、上記構成に加えて、前記切断部は、前記回転軸の軸支位置を介して一方側に前記電線を切断する刃部を有し、他方側に前記電線の切断操作のための切断アームを有する、前記回転軸周りに相対回転可能な一対の刃体からなり、前記一対の刃体は、前記刃部と前記切断アームとがそれぞれ異なる面内で揺動可能となるように、前記回転軸よりも前記切断アーム側で屈曲形成されていることを特徴とする。
【００１６】
また、本発明の切断工具は、上記構成に加えて、前記把持部において、少なくとも、前記第２把持体は、前記一対の刃体よりも撓み易い部材で構成されていると共に、前記回転軸の軸支位置よりも前記把持アーム側が前記切断部と同じ側に凸となるように屈曲形成されており、且つ、前記回転軸の軸支位置と屈曲位置との間隔が前記一対の刃体よりも大きいことを特徴とする。
【発明の効果】
【００１７】
以上のように、本発明によれば、把持部には、開側へ弾性変形可能な緩衝部が設けられているので、電線に損傷を与えることなく把持することができる。また、大径の電線を把持する場合には、凹状に形成された把持面に達するまで緩衝部が開側へ退避できるので、径の大小に関わらず、安定して電線を保持した状態で電線を切断することが可能となる。
【００１８】
また、本発明によれば、上記効果に加えて、把持部が、所定の間隔をあけて配置された第１把持体及び第２把持体を有するので、把持する電線を所定の間隔の範囲で圧力を分散させて電線を柔らかく安定して保持することができる。また、第１把持体及び第２把持体の間には緩衝部が設けられているので、電線に加わる圧力の大部分を緩衝部で吸収することができ、電線の損傷を防止できる。
【００１９】
また、本発明によれば、上記効果に加えて、緩衝部がゴム部材で形成されているので、弾性変形による圧力分散に加えて、滑り防止も可能となる。また、固定のために貫通するピンが回転軸と平行に延びるように配置されているので、開側への弾性変形を回転軸方向に均一に生じさせることができる。これにより、回転軸方向に均一に圧力を分散させることができるので、比較的小さい力で電線を安定して把持することが可能となる。
【００２０】
また、本発明によれば、上記効果に加えて、一対の刃体の刃部と切断アームとが異なる面内で揺動可能に構成されているので、閉じるときに切断アームの内側同士が干渉する。このとき、切断アーム同士に回転軸方向の成分を含む反力が生じる。これにより、回転軸
による軸支位置を支点として刃部側にも反力が発生するので、せん断力を切断対象である電線に効率良く伝達することができ、切断が容易になる。
【００２１】
また、本発明によれば、上記効果に加えて、把持部のうち、少なくとも第２把持体が、刃体と同じ側に凸となるように屈曲形成されるので、第１把持体よりも切断部に近い側に設けられる第２把持体を刃体に沿って配置することができるので、切断工具全体をコンパクトに構成することが可能となる。また、閉じるときに切断部において一対の刃体の切断アーム同士が内側で干渉するのと同様に、把持アーム同士が干渉するが、刃体よりも撓み易い部材で構成されていることに加えて、切断部よりも回転軸から遠い位置に屈曲加工部分が形成されているので、干渉から生じる圧力を分散し易い。これにより、把持部における回動抵抗を低減することが可能となる。
【図面の簡単な説明】
【００２２】
【図１】本発明の実施の形態に係る切断工具の全体斜視図である。
【図２】図１の切断工具を連結具側から見た分解斜視図である。
【図３】図１の切断工具の把持部の分解図である。
【図４】図１の切断工具の回転軸周りの拡大図である。
【図５】図１の切断工具の側面図である。
【図６】切断部の動作を示し、（ａ）は斜視図、（ｂ）は平面図である。
【図７】刃体及び把持体の側面図である。
【図８】従来の切断工具の使用状態を示す図である。
【発明を実施するための形態】
【００２３】
以下、本発明の実施の形態に係る切断工具について図を用いて説明する。なお、特に区別する必要のないような機能的に同一の部材に対しては、同一符号を付して説明することとする。
【００２４】
まず、図１及び２を用いて構成の概略を示す。
【００２５】
図１は本発明の切断工具の全体斜視図である。本実施の形態に係る切断工具は、後述する操作用の切断アーム２４ａに連結具３４を備えた構成を一例として示している。この連結具３４は、間接活線工事で使用する遠隔操作用ヤットコ等のように、顎状の開閉部を有する工具に対して連結可能である。
【００２６】
切断工具１は、共に鋏型の把持部４と切断部２０とを備えている。これら把持部４と切断部２０とは共通軸としての回転軸２を中心に、一体的に開閉操作可能となるように構成されている。
【００２７】
把持部４を開閉操作するための把持アーム１２ａ、１４ａは、切断部２０を開閉操作するための切断アーム２４ａに対してボルト４２によって一体的に固定されている。これら把持アーム１２ａ、１４ａのうち、切断部２０に近い側（図１では下側）に配置された把持アーム１４ａと切断アーム２４ａとの間には、スーペーサー３２が介装されている。なお、把持アーム１２ａ、１４ａおよび切断アーム２４ａとは、いずれも回転軸２から連結具３４側の端部までの部分を指すものとする。
【００２８】
回転軸２は切断部２０側に頭部を有するように、切断部２０側から把持部４側へ貫通して配置されたボルトであり、このボルトの足側にはナット４０が締結されている。
【００２９】
連結具３４は、切断部２０の切断アーム２４ａの端部と回動自在に連結されている。この連結においては、ある程度の捩れを許容できるように、軸となる部材が切断アーム２４
ａに対して遊貫状態で連結されている。そして、切断アーム２４ａの端部は軸方向に付勢されてガタつきが抑えられている。
【００３０】
次に、図２に把持部４を分離した状態を分解斜視図によって示す。ここでは、図１とは逆に、連結具３４側から見た状態が示されている。
【００３１】
連結具３４には、遠隔操作用の先端工具であるヤットコ等の開閉部分の先端を嵌合可能な嵌合穴３６が形成されている。嵌合されたヤットコ等の先端は、連結具３４の側面に設けられたプランジャー３８で固定することができる。
【００３２】
把持部４は、同型の第１把持体１２及び第２把持体１４を有している。これら第１及び第２の把持体１２、１４の把持アーム１２ａ、１４ａが切断アーム２４ａに固定されているボルト４２を外すと共に、ナット４０を回転軸２から外すと、把持部４は切断部２０から分離される。また、把持部４の顎部６側にゴム部材８を介在させ、把持アーム１２ａ、１４ａの間にスペーサー３０を介在させることにより、第１把持体１２、第２把持体１４の間に所定の間隔が設けられている。本実施の形態に係る切断工具１においては、これら第１把持体１２及び第２把持体１４の所定の間隔は一定となるように構成されている。
【００３３】
図３以下では、構成要素の特徴について個別に説明する。
【００３４】
図３は、把持部４の分解図であり、上側の第１把持体１２の一方を分解した状態を示している。ゴム部材８には２本のピン１０が貫通して配置されており、これらピン１０を抜くと、第１把持体１２、第２把持体１４とゴム部材（緩衝部）８とが分離される。
【００３５】
このように、ゴム部材８内をピン１０が貫通して配置されているので、ゴム部材８の把持面８ｂに加わる圧力が回転軸２（図１を参照）の方向に均等になり、ケーブルの把持状態が安定する。顎部６の把持面６ａは、開方向へ凹となるように屈曲した面で形成されている。本実施の形態では、把持面６ａは、それぞれ２つの平面によって形成されている。
【００３６】
次に、図４に切断工具１の回転軸２周りの拡大図を示す。（ａ）は開状態、（ｂ）は閉状態を表している。
【００３７】
ゴム部材８は、一部を顎部６の把持面６ａよりも閉側へ突出させるようにして配置されている。この一部は図４（ａ）中において斜線を施された部分であり、便宜的に収縮部８ａと呼ぶ。把持部４（の顎部６）がケーブルを把持した際、この収縮部８ａが弾性変形により収縮するので、ケーブルの外装に損傷を生じることを防止できる。収縮部８ａが最も収縮した場合、把持面６ａの位置に達するが、把持面６ａは上述のように凹状に形成されているので、把持されたケーブルは、変形した収縮部８ａと共に外側へ逃げることなく顎部６内に安定する。
【００３８】
また、図４（ｂ）に示すように、刃部２２（切断部２０）を全閉状態にした際、顎部６（把持部４）も全閉状態になるように上記収縮部８ａの突出量を設定しておくと、径の小さいケーブルも安定して保持することが可能である。
【００３９】
次に、図５に切断工具１の側面図を示す。
【００４０】
図５から分かるように、切断部２０は屈曲形成されている。ここでは、回転軸２の延びる方向を一点鎖線Ａで示し、ボルト４２の延びる方向を一点鎖線Ｂで示している。したがって、切断工具１の開閉操作の際、切断部２０の刃部２２又は把持部４の顎部６が描く軌道は、一点鎖線Ａを法線とする平面に対して平行である。また、切断アーム２４ａ又は把持アーム１２ａ、１４ａが描く軌道は、一点鎖線Ｂを法線とする平面に対して平行である。
【００４１】
次に、このように屈曲形成されていることにより生じる作用について、切断部２０の一対の刃体２４を例として説明する。
【００４２】
図６は、切断部２０（一対の刃体２４）の動作説明をするための図である。説明の便宜のため、一対の刃体２４以外の構成は図示を省略している。（ａ）は開いた状態の切断部２０の斜視図を示し、（ｂ）は閉じた状態の切断部２０の平面図を示している。また、下側に配置された刃体２４については、切断アーム２４ａのうち屈曲位置から端部側の領域に斜線を施して示している。
【００４３】
図６では、回転軸２の延びる方向である一点鎖線Ａ（図５参照）と刃体２４の屈曲位置との間隔を長さＬ１で示している。切断部２０において、一点鎖線Ａを中心とした円弧状の矢印で示すように、上側の刃体２４を閉じる方向へ回動させると、この上側の屈曲位置は下側の刃体２４の斜線を施した領域と干渉する。すなわち、上側の刃体２４の屈曲位置は、下側の刃体２４の斜線を施した部分の傾斜に沿って乗り上げるようにして干渉する。
【００４４】
図６（ｂ）には、上側の刃体２４の屈曲位置が下側の刃体２４の切断アーム２４ａのうち、斜線を施した領域に重なっている状態が示されている。
【００４５】
上述のように、上側の刃体２４の屈曲位置が下側の刃体２４の斜線を施した傾斜領域に乗り上げると、上側の刃体２４の切断アーム２４ａには、その傾斜領域の面の法線方向へ持ち上げるような力が働く。これにより、回転軸２を介した刃部２２では、摺接面を互いに押し付け合う方向（一点鎖線Ａに平行で、互いに逆向きの矢印によって示した方向）に力が生じる。すなわち、刃部２２では剪断力を有効に作用させる力（摺接の圧力を増大させる力）が生じ、安定した切断が可能となる。
【００４６】
なお、ここでは、一対の刃体２４について説明を行ったが、同様に屈曲形成されている第１把持体１２、第２把持体１４についても、閉方向への操作時において、把持アーム１２ａ、１４ａの内側の屈曲位置に干渉が生じる。
【００４７】
図７は、刃体２４及び把持体１２の側面図である。この図７は、それぞれの屈曲位置の関係を説明するための図であり、回転（図５の一点鎖線Ａ）の中心が一致するように並べて示している。
【００４８】
図７から分かるように、本実施の形態に係る切断工具１においては（図１を併せて参照）、把持部４を構成する第１把持体１２及び第２把持体１４の板厚Ｔ２は、切断部２０を構成する刃体２４の板厚Ｔ１よりも薄くなるように構成されている。このため、一対の刃体２４よりも第１把持体１２、第２把持体１４の方が撓み易い構造となっている。
【００４９】
また、回転中心である一点鎖線Ａと把持体１２の屈曲位置１２ｂとの間の長さＬ２は、一点鎖線Ａと刃体２４の屈曲位置２４ｂとの間の長さＬ１よりも大きくなるように形成されている。ここで、図６を用いて説明したような、干渉する屈曲位置を持ち上げる力は、持ち上げられる高さが同じである場合、屈曲位置が回転中心（一点鎖線Ａ）からの距離が大きいほど緩やかになる。すなわち、屈曲位置が回転中心から離れているほど、開閉に伴う摺接による摩擦が小さくなる。
【００５０】
以上のように、本実施の形態では、切断と把持のための動作を連動させる構成であっても、把持部４に生じる摩擦力に基づく開閉の抵抗を抑えると共に、切断部２０のせん断力
を有効に作用させることによって容易且つ安定的な切断作業が可能となる。
【００５１】
また、把持部４には、緩衝部としてのゴム部材８に、弾性変形可能な収縮部８ａを設けているので、切断の妨げとならないように収縮し、径の異なるケーブルに対して安定して保持することが可能となる。
【００５２】
なお、上記の実施の形態は、本発明の一実施形態を例示するものであり、以下に示すような変形も可能である。
【００５３】
上記の実施の形態では、把持部４の顎部６を形成する把持面６ａは屈曲する２平面により開側へ凹となるように構成されている例を示した。しかし、開側へ凹となる形状であれば、凹状の曲面で形成されていても構わない。
【００５４】
また、上記の実施の形態では、把持部４を構成する第１把持体１２と第２把持体１４とは共に、回転軸２の方向において切断部２０と同じ側へ凸となるように屈曲形成されている構成を例として示した。しかし、少なくとも、第２把持体１４が屈曲形成されていれば、切断部２０との間隔を小さく設定することができるので、コンパクトな設計が可能となる。したがって、第１把持体１２は直線的な形状でも構わない。
【００５５】
また、上記の実施の形態では、切断部２０の屈曲形状が凹となる側に把持部４が配置されている構成を例として示した。しかし、切断部２０と把持部４とが同じ向きに屈曲形成されている構成であれば、切断部２０の屈曲形状が凸となる側に把持部４が配置されても構わない。
【００５６】
また、上記の実施の形態では、切断部２０の切断アーム２４ａに連結具３４が回動可能に連結された構成を例として示した。しかし、連結具３４は必須の構成ではなく、切断工具１は遠隔操作用途以外の手持ち工具であっても構わない。
【００５７】
また、上記の実施の形態では、把持部４は第１把持体１２と第２把持体１４とによる２組の把持体からなる構成を例として示した。しかし、第１把持体１２又は第２把持体１４の何れかにゴム部材８が安定して保持できる構成であれば、第１把持体１２又は第２把持体１４の一方のみの構成であっても構わない。
【００５８】
また、上記の実施の形態では、ケーブルを顎部６で把持する際の緩衝部としてゴム部材（緩衝部）８を用いた構成を例として示した。しかし、これに限らず、開方向へ弾性変形可能な構成であればバネ部材であっても構わない。さらに、切断対象に当接する収縮部８ａが弾性変形可能であれば、ピン１０により貫通固定される部分は異なる部材を用いるなど、複合部材で構成されていても構わない。
【００５９】
また、上記の実施の形態では、ゴム部材８を保持するために２本のピン１０が用いられている構成を例として示した。しかし、安定して保持できるのであれば１本でも構わない。また、３本以上であっても良い。少なくとも１本貫通配置されていれば、切断対象を挟持した際に回転軸方向に均等に力を加えることができる。
【００６０】
また、本実施の形態では、ゴム部材８の回転軸２方向への長さとスペーサー３０とが同じ寸法となるように設定されているので、第１把持体１２と第２把持体１４とは全体が等距離の間隔となっていることは上述したが、安定して保持できる構成であれば、ゴム部材８の回転軸２方向の長さは、スペーサー３０より短くても構わない。さらに、第１把持体１２と第２把持体１４との間隔は均等でなくても構わない。
【産業上の利用可能性】
【００６１】
本発明の切断工具は、切断対象を工具自身に把持させた状態で安全に切断作業を行うことができるので、特に、手の届かない遠隔操作用の切断工具の分野において有用である。
【符号の説明】
【００６２】
１  切断工具
２  回転軸
４  把持部
６  顎部
６ａ  把持面
８  ゴム部材（緩衝部）
８ａ  収縮部（緩衝部の一部）
８ｂ  把持面
１０  ピン
１２  第１把持体
１４  第２把持体
１２ａ、１４ａ  把持アーム
２０  切断部
２２  刃部
２４  一対の刃体
２４ａ  切断アーム
２４ｂ、１２ｂ  屈曲位置
３０  スペーサー
３２  スペーサー
３４  連結具
３６  嵌合穴
３８  プランジャー
４０  ナット
４２  ボルト
１００  切断工具
１０１  回転軸
１０２  切断部
１０３  把持部
１０４  レバー
１１０  光ファイバーケーブル
Ａ、Ｂ  一点鎖線
Ｌ１、Ｌ２  長さ
Ｔ１、Ｔ２  板厚
【図１】
0006697303.tif 000002
【図２】
0006697303.tif 000003
【図３】
0006697303.tif 000004
【図４】
0006697303.tif 000005
【図５】
0006697303.tif 000006
【図６】
0006697303.tif 000007
【図７】
0006697303.tif 000008
【図８】
0006697303.tif 000009